(57)【要約】      （修正有）【課題】共通のコアで２つのリアクトル機能を実現するリアクトルの磁路を短くする技術を提供する。【解決手段】結合リアクトル２は、平行に配置されている第１柱状コア１１、第２柱状コア１２及び第３柱状コア１３を備える。３個の柱状コアは、軸線方向の一方の側の端部同士が連結されており、他方の側の端部同士も連結されている。各柱状コアにコイルが巻回されている。第１柱状コアの第１コイル２１と第２柱状コアの第２コイル２２は電気的に連結されている。第１コイルと第２コイルと全体コア１０が一つのリアクトル機能を実現する。第３コイルと全体コアが別一つのリアクトル機能を実現する。第１、第２及び第３柱状コアが、軸線方向からみてそれら３個の柱状コアの中心が三角形をなすように配置され、第１コイルと第２コイルが作るリアクトルの磁路が短くなる。【選択図】図１
2016103601.tif 000002
【特許請求の範囲】
【請求項１】
平行に配置されている第１柱状コア、第２柱状コア、及び、第３柱状コアと、
第１柱状コアに巻回されている第１コイルと、
第２柱状コアに巻回されている第２コイルと、
第３柱状コアに巻回されている第３コイルと、
前記第１柱状コア、第２柱状コア、及び、第３柱状コアの軸線方向の一方の側の端部同士を連結している第１連結コアと、
前記第１柱状コア、第２柱状コア、及び、第３柱状コアの前記軸線方向の他方の側の端部同士を連結している第２連結コアと、
を備えており、
前記第１コイルと前記第２コイルは、電気的に直列に接続されているとともに、電流が流れたときに、夫々のコイルが前記第３柱状コア内で発生させる磁束が互いに逆方向を向くように巻回されており、
前記第３コイルは前記第１及び第２コイルから絶縁されており、
前記第１柱状コア、第２柱状コア、及び、第３柱状コアが、前記軸線方向からみたときにそれら３個の柱状コアの中心が三角形をなすように配置されていることを特徴とするリアクトル。
【請求項２】
前記第１連結コアと前記第２連結コアに、前記軸線方向からみたときに、前記第１柱状コアと前記第２柱状コアとの間に前記第３柱状コアに向かって窪んでいる窪みが設けられていることを特徴とする請求項１に記載のリアクトル。
【請求項３】
前記軸線方向からみたときに、前記窪みの底と前記第３柱状コアとの間に所定の幅が確保されていることを特徴とする請求項２に記載のリアクトル。
【請求項４】
前記第１柱状コア、第２柱状コア、第３柱状コア、第１連結コア、及び、第２連結コアで構成される全体のコアが、前記軸線方向からみたときに、前記第１柱状コアの中心と前記第２柱状コアの中心を結ぶ線分の中点と前記第３柱状コアの中心を結ぶ線に対して対称形であることを特徴とする請求項１から３のいずれか１項に記載のリアクトル。
【発明の詳細な説明】
【技術分野】
【０００１】
本発明は、リアクトルに関する。
【背景技術】
【０００２】
リアクトルは、磁性体で作られたコアにコイルが巻回された受動素子である。リアクトルは、流れる電流が大きくなるほど体格が大きくなる傾向がある。電気自動車のモータ駆動回路などの大電流が流れる電気回路に用いられるリアクトルでは小型化が求められている。特許文献１に、２個のリアクトルを１個の共通のコアで実現する技術が開示されている。
【０００３】
特許文献１のリアクトルは、３本の柱状コアを備えている。３本の柱状コアは平行に配置されており、コア軸線方向の同じ側の端部同士が連結されている。連結部分もコアであるが、説明の便宜上、柱状コアとは別に、連結コアと称することにする。また、３本の柱状コアと一対の連結コアを合わせて全体コアと称する。各柱状コアにコイルが巻回されている。説明の便宜上、第１柱状コアに巻回されているコイルを第１コイルと称し、第２柱状コアに巻回されているコイルを第２コイルと称し、第３柱状コアに巻回されているコイルを第３コイルと称する。
【０００４】
３本の柱状コアは、第３柱状コアを中心に、その両側に第１柱状コアと第２柱状コアが並んでいる。第１コイルと第２コイルは電気的に接続されており、それら２個のコイルと全体コアが一つのリアクトルを構成する。第１コイルと第２コイルは、電流が流れたときに、夫々のコイルが第３柱状コア内で発生させる磁束が互いに逆方向を向くように巻回されている。第３コイルは第１、第２コイルからは絶縁されており、第３コイルと全体コアが別の一つのリアクトルを構成する。
【０００５】
特許文献１のリアクトルは、第１、第２コイルに電流を流したとき、夫々のコイルが発する磁束は第３柱状コアの内部では相互に打ち消しあう。従って、第１、第２コイルを流れる電流は第３コイルに影響を及ぼさない。一方、第３コイルに電流を流したとき、第３コイルが発生させる磁束は、第１柱状コアと第２柱状コアを通り、その磁束によって第１コイルと第２コイルに誘導電流が発生する。しかし、第１、第２コイルに発生する誘導電流は互いに打ち消し合う方向に流れるため、実質的には第１、第２コイルに電流が流れない。即ち、第３コイルを流れる電流は第１、第２コイルに影響を及ぼさない。２個のリアクトルはコアの一部を共有しているが干渉し合うことなく独立に動作することができる。
【先行技術文献】
【特許文献】
【０００６】
【特許文献１】特開２０１３−１９８２４６号公報
【発明の概要】
【発明が解決しようとする課題】
【０００７】
特許文献１のリアクトルは、コアの軸線方向からみたときに第１柱状コアと第２柱状コアの間に第３柱状コアが位置する。従って、連結コアの第１柱状コアと第２柱状コアの間の距離が長い。第１、第２コイルと全体コアで構成されるリアクトルの磁路が長くなる。本明細書は、特許文献１のリアクトルにおいて磁路を短くする技術を提供する。
【課題を解決するための手段】
【０００８】
本明細書が対象とするリアクトルを確認する。そのリアクトルは、平行に配置されている第１、第２、及び、第３柱状コアと、３個のコイル（第１、第２、及び、第３コイル）と、第１、第２連結コアを備える。第１コイルは第１柱状コアに巻回されている。第２コイルは第２柱状コアに巻回されている。第３コイルは第３柱状コアに巻回されている。第１連結コアは、第１、第２、及び第３柱状コアの軸線方向の一方の端部同士を連結しており、第２連結コアは、他方の端部同士を連結している。第１コイルと第２コイルは直列に接続されている。また、第１コイルと第２コイルは、電流が流れたときに、夫々のコイルが第３柱状コア内に発生させる磁束が互いに逆方向を向くように巻回されている。一方、第３コイルは第１及び第２コイルから絶縁されている。そして、本明細書が開示するリアクトルは、第１、第２、及び、第３柱状コアが、軸線方向からみたときにそれら３個の柱状コアの中心が三角形をなすように配置されていることを特徴とする。このリアクトルは、特許文献１のリアクトルと比べて第１柱状コアと第２柱状コアの間の距離を短くすることができる。即ち、特許文献１のリアクトルと比べて第１コイルと第２コイルが発生させる磁束が通る磁路を短くすることができる。
【０００９】
本明細書が開示する技術の詳細とさらなる改良は以下の「発明を実施するための形態」にて説明する。
【図面の簡単な説明】
【００１０】
【図１】第１実施例のリアクトルの三面図である。図１（Ａ）は上面図であり、図１（Ｂ）は正面図であり、図１（Ｃ）は側面図である。
【図２】第１実施例のリアクトルのコアに生じる磁束を示した図である。図２（Ａ）は上面図における磁束を示しており、図２（Ｂ）は正面図における磁束を示している。
【図３】第２実施例のリアクトルの正面図である。
【図４】第１実施例のリアクトルと第２実施例のリアクトルのインダクタンス特性を比較したグラフである。
【図５】第１実施例のリアクトルの正面図である。
【図６】比較例のリアクトルのコアに生じる磁束を示した図である。図６（Ａ）は上面図における磁束を示しており、図６（Ｂ）は正面図における磁束を示している。
【発明を実施するための形態】
【００１１】
本明細書が開示するリアクトルは、２個のリアクトルがコアの一部を共有するデバイスである。個別の機能としてのリアクトルと、全体のハードウエアとしてのリアクトルを区別するため、以下では、全体のハードウエアとしてのリアクトルを結合リアクトルと称し、結合リアクトルで個別に実現される機能としての２つのリアクトルを夫々第１リアクトル、第２リアクトルと称する。
【００１２】
（第１実施例）図１に、第１実施例の結合リアクトル２の三面図を示す。図１（Ａ）は結合リアクトル２の上面図であり、図１（Ｂ）は結合リアクトル２の正面図であり、図１（Ｃ）は結合リアクトル２の側面図である。結合リアクトル２は、３個のコイル（第１コイル２１、第２コイル２２、及び、第３コイル２３）と、全体コア１０を備えている。全体コア１０は、一つの連続した磁性体であるが、説明の便宜上、５個のパーツに分ける。その５個のパーツとは、第１柱状コア１１、第２柱状コア１２、第３柱状コア１３、第１連結コア１４、及び、第２連結コア１５である。なお、以下では、第１連結コア１４、第２連結コア１５は、単純に連結コア１４、連結コア１５と称する場合がある。第１柱状コア１１は、円柱形状をなしており、これに第１コイル２１が巻回されている。第２柱状コア１２も円柱状をなしており、これに第２コイル２２が巻回されている。第３柱状コア１３も円柱状をなしており、これに第３コイル２３が巻回されている。各コイルは、平角線をエッジワイズに巻回したものである。
【００１３】
第１、第２、及び、第３柱状コア１１、１２、１３は、平行に配置されている。また、第１、第２、及び、第３柱状コア１１、１２、１３の軸線方向の一方の側の端部同士は第１連結コア１４によって相互に連結されており、他方の側の端部同士は第２連結コア１５で相互に連結されている。なお、図１において、符号ＡＸ１は第１柱状コア１１の軸線を示しており、符号ＡＸ２が第２柱状コア１２の軸線を示しており、符号ＡＸ３が第３柱状コア１３の軸線を示している。３本の軸線ＡＸ１、ＡＸ２、ＡＸ３はいずれも図中のＸ軸方向に沿って平行に伸びている。即ち、図中のＸ軸の方向がコアの軸線方向に相当する。
【００１４】
図１（Ｂ）に示すように、第１連結コア１４は、第１柱状コア１１と第２柱状コア１２の間が第３柱状コア１３に向かってくびれている。このくびれた部分をくびれ１６と称する。第２連結コア１５にも同様にくびれが設けられている。別言すれば、第１連結コア１４は、軸線方向からみてＶ字型を成している。第２連結コア１５も同様である。第１連結コア１４のＶ字の一方の端に第１柱状コア１１が連結されており、Ｖ字の他方の端に第２柱状コア１２が連結されており、Ｖ字の屈曲部に第３柱状コア１３が連結されている。また、図１（Ｂ）における符号Ｃ１は、軸線方向からみたときの第１柱状コア１１の中心を示している。図１（Ｂ）における符号Ｃ２とＣ３は、夫々、軸線方向からみたときの第２柱状コア１２の中心と第３柱状コア１３の中心を示している。
【００１５】
図１（Ｂ）によく表れているように、３個の柱状コア１１、１２、１３は、軸線方向からみて、夫々の柱状コアの中心Ｃ１、Ｃ２、Ｃ３が三角形をなすように配置されている。別言すれば、３個の柱状コア１１、１２、１３は、軸線方向からみて、一直線に並ばないように配置されている。より詳しくは、３個の柱状コア１１、１２、１３は、軸線方向からみて、各柱状コアの中心Ｃ１、Ｃ２、Ｃ３が一直線に並ばないように配置されている。別言すれば、また、第１連結コア１４は、軸線方向からみて、第１柱状コア１１の中心Ｃ１と第２柱状コア１２の中心Ｃ２を結ぶ線分の中点と第３柱状コア１３の中心Ｃ３を結ぶ直線ＣＬに対して対称形である。第２連結コア１５も同様の形状を有している。すなわち、結合リアクトル２の全体コア１０は、軸線方向からみて直線ＣＬに対して対称形である。
【００１６】
夫々のコイルについて説明する。第１コイル２１と第２コイル２２は、電気的に直列に連結されている。符号４２が、第１コイル２１と第２コイル２２の連結部を示している。符号４１は、第１コイル２１と第２コイル２２で作られる直列連結コイルの一方のリード部を示しており、符号４３が他方のリード部を示している。説明の都合上、リード部４１を、直列連結コイルの始点リード部４１と称し、リード部４３を直列連結コイルの終点リード部４３と称する。第１コイル２１は、始点リード部４１から連結部４２へ向かって（即ち、Ｘ軸負方向へ向かって）右回りに巻回されている。なお、図１（Ａ）、図１（Ｃ）では、連結部４２の図示を省略している。第２コイル２２は、連結部４２から終点リード部４３に向かって（即ちＸ軸正方向に向かって）右回りに巻回されている。始点リード部４１から終点リード部４３へ向けて電流を流すと、第１コイル２１は、第１柱状コア１１の内部に、図のＸ軸負方向に向かう磁束を発生させる。この磁束は、第２柱状コア１２の内部と第３柱状コア１３の内部では、図のＸ軸正方向に向かう磁束となる。一方、第２コイル２２は、第２柱状コア１２の内部に、図のＸ軸正方向に向かう磁束を発生させる。この磁束は、第１柱状コア１１の内部と第３柱状コア１３の内部では、図のＸ軸負方向に向かう磁束となる。すなわち、第１コイル２１と第２コイル２２は、電気的に直列に接続されているとともに、電流が流れたときに、夫々のコイルが第３柱状コア１３の内部に発生させる磁束が互いに逆方向を向くように巻回されている。第３コイル２３は、始点リード部４４から終点リード部４５に向けて（即ち、Ｘ軸負方向に向けて）巻回されている。
【００１７】
第１コイル２１と第２コイル２２の直列連結コイルと全体コア１０が一つのリアクトルとして機能する。そのリアクトルを第１リアクトルと称する。第３コイル２３と全体コア１０が別の一つのリアクトルとして機能する。そのリアクトルを第２リアクトルと称する。第１リアクトルと第２リアクトルはコアを共有するが、磁気的な相互干渉はほとんどない。これは次の理由による。先に述べたように、第１コイル２１と第２コイル２２の夫々が発生させる磁束は、第３柱状コア１３の内部で互いに逆方向となる。従って、第１コイル２１が発生する磁束と第２コイル２２が発生する磁束は第３柱状コア１３の内部で相殺する。それゆえ、第１コイル２１と第２コイル２２に電流を流したときに第３コイル２３に誘導電流は流れない。即ち、第１リアクトルに流れる電流は第２リアクトルに影響を及ぼさない。一方、第３コイル２３の始点リード部４４から終点リード部４５に向けて電流を流したとき、第１柱状コア１１と第２柱状コア１２には、同じ方向（Ｘ軸正方向）の磁束が発生する。それらの磁束は、第１コイル２１と第２コイル２２の夫々に誘導電流を発生させようとするが、第１コイル２１で発生する誘導電流の向きと第２コイル２２で発生する誘導電流の向きは互いに逆向きとなり、相殺する。従って第１コイル２１と第２コイル２２の直列連結コイルには実質的に誘導電流が発生しないことになる。即ち、第２リアクトルに流れる電流は第１リアクトルに影響を及ぼさない。
【００１８】
第１実施例の結合リアクトル２が、特許文献１（特開２０１３−１９８２４６号公報）に開示されたリアクトルより優れている点を説明する。図２に、第１リアクトル、即ち、第１コイル２１と第２コイル２２と全体コア１０で構成されるリアクトルが発生する磁束を示す。図２（Ａ）は、磁束を矢印線Ａ１で示した上面図であり、図２（Ｂ）は、磁束を矢印線Ａ２で示した正面図である。図２（Ａ）、図２（Ｂ）は、磁束を表す矢印線を除き、それぞれ、図１（Ａ）、図１（Ｂ）と同じである。
【００１９】
比較のため、図６に、特許文献１に開示されたリアクトル１０２における磁束を示す。図６のリアクトル１０２を説明する。図６のリアクトル１０２は、軸線方向（Ｘ軸）方向からみて、第１柱状コア１１１と第２柱状コア１１２と第３柱状コア１１３が一直線に並んでいる点で、図１、図２の結合リアクトル２と異なる。なお、図６（Ｂ）において符号１４２は、第１コイル２１と第２コイル２２の連結部を示している。図６（Ａ）では連結部１４２の図示を省略している。
【００２０】
図６において符号１１４と１１５が連結コアを示している。図６は、第１リアクトル、即ち、第１コイル２１と第２コイル２２と全体コア１１０で構成されるリアクトルが発生する磁束を示している。図６（Ａ）は、リアクトル１０２の上面図において磁束を矢印線Ｂ１で示した図であり、図６（Ｂ）は正面図において磁束を矢印線Ｂ２で示した図である。図２の矢印線Ａ２と図６の矢印線Ｂ２を比較すると明らかな通り、結合リアクトル２と結合リアクトル１０２では、連結コアの形状が異なり、前者が後者よりも、第１コアと第２コアの間の磁路の長さが短くなる。リアクトルでは磁路が短い方が損失が小さい。よって実施例の結合リアクトル２は、従来のリアクトル１０２よりも損失が小さい。この利点は、この利点は、実施例の結合リアクトル２において、第１柱状コア１１と第２柱状コア１２と第３柱状コア１３が、それらの柱状コアの各中心Ｃ１、Ｃ２、Ｃ３が軸線方向（Ｘ軸方向）からみて三角形をなすように配置されていることに起因する。
【００２１】
軸線方向からみたときの第１柱状コア１１と第２柱状コア１２の間の磁路は、連結コア１４、１５がＶ字にくびれておらず、連結コア１４、１５が三角形をなしているときが最も短い。図３に、連結コアが三角形を成している結合リアクトル２０２の正面図を示す。この結合リアクトル２０２が第２実施例のリアクトルである。符号２１４が結合リアクトル２０２の連結コアである。図３と図１（Ｂ）を比較すると理解されるように、第１実施例の結合リアクトル２では第１連結コア１４（及び第２連結コア１５）がくびれ１６を有しているのに対して、第２実施例の結合リアクトル２０２では連結コア２１４（及び反対側の連結コア）はくびれを有しておらず、角丸の三角形状である。図３の符号Ｅ２が示す矢印線が、第１コイル２１と第２コイル２２の直列連結コイルに電流を流したときの磁路を示す。図２（Ｂ）に示した矢印線Ｂ２と図３に示した矢印線Ｅ２を比較すると明らかなとおり、結合リアクトル２０２の方が連結コア内の磁路が短くなる。従って、コアにおける損失の観点では、第２実施例の結合リアクトル２０２が第１実施例の結合リアクトル２よりも優れている。しかし、第１実施例の結合リアクトル２は、別の点で第２実施例の結合リアクトル２０２よりも優れている利点を有する。次にその利点を説明する。
【００２２】
図４は、第１実施例の結合リアクトル２と第２実施例の結合リアクトル２０２の夫々に電流を流したときのインダクタンス特性を表すグラフである。図４はシミュレーションによる結果である。図４のグラフは、第１リアクトルのコイル（第１コイル２１と第２コイル２２）と第２リアクトルのコイル（第３コイル２３）の夫々に所定の電流を流したときの電流の交流成分の振幅を示したグラフである。所定の電流は、直流成分と交流成分を有する。図４の横軸は直流成分の大きさを示しており、縦軸が交流成分の振幅の大きさを示す。図４は、リアクトルに流す電流の直流成分を変化させたときの交流成分の振幅の変化を示している。図４のグラフが意味するところを説明する。リアクトル無しの場合の交流成分の振幅と比較して、リアクトルに電流を流した場合に、交流成分の振幅は小さくなる。リアクトルのインダクタンスが大きいほど、交流成分の振幅が小さくなる。直流成分はインダクタンスに影響を受けないが、交流成分はリアクトルのインダクタンスの大きさ依存する。図４のグラフは、リアクトルが有するインダクタンスの直流成分依存性を表している。
【００２３】
実線で示したグラフＧ１１とＧ１２は、くびれ１６を備えた連結コア１４を有する結合リアクトル２のシミュレーション結果を示している。破線で示したグラフＧ２１とグラフＧ２２は、図３に示した三角形状の連結コア２１４を有する結合リアクトル２０２のシミュレーション結果を示している。グラフＧ１１とＧ２１は、第３コイルに流した電流の交流成分を示しており、グラフＧ１２とＧ２２は、第１コイル及び第２コイルに流した電流の交流成分を示している。図４に表れているように、くびれ１６を備えた連結コア１４を有する結合リアクトル２の方が、三角形状の連結コア１１４を有する結合リアクトル２０２よりもインダクタンスの直流成分依存性が小さい。流れる電流の直流成分が変化してもインダクタンスが一定である方が、リアクトルを使い易い。くびれ１６を備えた連結コア１４を有する結合リアクトル２は、三角形状の連結コア１１４を有する結合リアクトル２０２よりも、インダクタンスの直流成分依存性が小さいという利点がある。
【００２４】
結合リアクトル２のインダクタンスの直流成分依存性は、くびれ１６の大きさに依存すると推定される。くびれ１６の深さが深いほど、直流成分依存性が小さくなると推定される。一方、くびれ１６が深いと、第１リアクトル（第１コイル２１と第２コイル２２）の磁路が長くなる。図５に、結合リアクトル２の正面図を再び示す。なお、図５では、図１（Ｂ）で示した連結部４２は図示を省略している。第１リアクトル（第１コイル２１と第２コイル２２）の磁路を短くするには、軸線方向からみて、くびれの底１６ａと第３柱状コア１３との間の距離Ｗ１が大きい方がよい。一方、インダクタンスの直流成分依存性を小さくするには、くびれの底１６ａと第３柱状コア１３との間の距離Ｗ１は小さい方がよい。両者のバランスのよい結合リアクトルは次の通りである。連結コア１４、１５は、軸線方向からみて第１柱状コア１１と第２柱状コア１２の間にくびれ１６を有しており、くびれの底１６ａと第３柱状コア１３との間に所定の距離Ｗ１（Ｗ１＞０）が確保されている。くびれの底１６ａと第３柱状コア１３との間の距離Ｗ１は、ゼロよりも大きく、かつ、軸線方向からみて、第１柱状コア１１の中心Ｃ１と第２柱状コア１２の中心Ｃ２を結ぶ直線と第３柱状コア１３との間の距離Ｗ２よりも小さいことが望ましい。
【００２５】
なお、第１実施例のリアクトル２と比較例のリアクトル１０２において、第１柱状コアの中心と第３柱状コアの中心の間の距離が等しく、第２柱状コアの中心と第３柱状コアの中心の間の距離が等しい場合、Ｗ１＝０であってもリアクトル２の方が比較例のリアクトル１０２よりも磁路が短くなることに留意されたい。第１実施例のリアクトル２の場合、第１連結コア１４と第２連結コア１５を流れる磁束は、軸線方向からみて、第３柱状コア１３の中心Ｃ３よりもくびれの底１６ａに近い側を、くびれの底１６ａから遠い側よりも多く流れるからである。
【００２６】
また、第１リアクトル（第１コイル２１、第２コイル２２）と第２リアクトル（第３コイル２３）の独立性の観点からは、結合リアクトル２の全体コア１０は、軸線方向からみて、直線ＣＬに対して対称形であることが望ましいことは明らかである。直線ＣＬは、第１柱状コア１１の中心（図中の軸線ＡＸ１）と第２柱状コア１２の中心（図中の軸線ＡＸ２）を結ぶ線分の中点と第３柱状コア１３の中心（図中の軸線ＡＸ３）を結ぶ線である。
【００２７】
実施例で説明した技術の留意点を述べる。図１に示したように、第１コイル２１と第２コイル２２の直径は、第３コイル２３の直径よりも小さい。これは次の理由による。結合リアクトル２では、２個のコイル（第１コイル２１と第２コイル２２）が一つのリアクトル機能（第１リアクトル）を実現するのに対して、１個のコイル（第３コイル２３）が別の一つのリアクトル機能（第２リアクトル）を実現する。第１コイル２１と第２コイル２２の直径を第３コイル２３の直径よりも小さくすることで、第１リアクトルの性能を第２リアクトルの性能と同等レベルにすることができる。ただし、第１、第２コイル２１、２２の直径と第３コイル２３の直径の関係に制約はない。第１、第２コイル２１、２２の直径は、第１リアクトルに求められる性能に応じて定められる。第３コイル２３の直径は、第２リアクトルに求められる性能に応じて定められる。ただし、第１リアクトル（第１コイル２１、第２コイル２２）と第２リアクトル（第３コイル２３）の独立性の観点からは、第１コイル２１の直径と第２コイル２２の直径は等しいことが好ましい。さらには、第１リアクトルと第２リアクトルの独立性の観点からは、第１コイル２１と第２コイル２２が等しいサイズと特性を有しており、第１柱状コア１１と第２柱状コア１２が等しいサイズと特性を有していることが好ましい。
【００２８】
図１（Ｂ）と図６（Ｂ）を比較すると明らかな通り、結合リアクトル２の連結部４２は、結合リアクトル１０２の連結部１４２よりも短い。なお、連結部は、第１コイルと第２コイルを電気的に直列に連結する部分である。結合リアクトル２は、第１柱状コア１１と第２柱状コア１２を近づけることによって、第１コイル２１と第２コイル２２の連結部４２の長さを短くできるという利点も有する。
【００２９】
実施例のリアクトルでは、柱状コアは全て、軸線方向からみて円形であった。軸線方向からみたときの柱状コアの形状は円に限られない。軸線方向からみたときの形状が円でなくともその形状の中心は定義できるので、３個の柱状コアの中心が三角形をなすように３個の柱状コアを配置することが可能であることに留意されたい。
【００３０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３１】
２、１０２、２０２：結合リアクトル
１０：全体コア
１１、１１１：第１柱状コア
１２、１１２：第２柱状コア
１３、１１３：第３柱状コア
１４、１１４：第１連結コア
１５：第２連結コア
１６：くびれ
１６ａ：くびれの底
２１：第１コイル
２２：第２コイル
２３：第３コイル
４１、４３、４４、４５：始点リード部
４２、１４２：連結部
【図１】
2016103601.tif 000003
【図２】
2016103601.tif 000004
【図３】
2016103601.tif 000005
【図４】
2016103601.tif 000006
【図５】
2016103601.tif 000007
【図６】
2016103601.tif 000008